(57)【要約】      （修正有）【課題】寝装具が睡眠中に容易に肩からずれることを防止するとともに、脱却も自在で、多様な使用実態に対応し、さらに、現代の生活環境や寝具事情に即した、利用しやすいデザイン形態を可能にした肩掛け寝装具を提供する。【解決手段】寝装具本体１に、保温性のある布によってアーチ型のポケット２を構成し、そのアーチ頂点を中心とした衿部分に他の部分より布を厚くした上で、布を縫い縮めて寄せた伸縮性のあるヒダ構造による包み掛け衿部３を備える。さらに、下部に向かう両側面の布を側幕４として機能させ、就寝時、内部温度の放散を防ぐとともに、上記衿部を引き上げるとこの側幕が寝装具本体の中央両側部を絞り上げ、寝装具本体が身体によく密着する。また、この技術は掛け布団カバーとしても利用できる。【選択図】図１
0003161986.tif 000002
【実用新案登録請求の範囲】
【請求項１】
寝装具の、身体が主に触れる面上部半分に保温性のある布によってアーチ型のポケットを縫付し、かつ、そのアーチの頂点を中心とした衿部分に利用者の肩に包み掛かる構造を備える肩掛け寝装具であって、この包み掛け衿部分を他の部分より布を厚くした上で、布を縫い縮めて寄せたヒダ構造とし、かつ伸縮性を備えることを特徴とする。
【請求項２】
前記の特徴を有し、下部に向かう両側面に縫付けした布が寝装具の側幕として機能し、利用時、内部の温度の放散を防ぎつつ、衿部を引き上げることで、寝装具の両側中心部が引き絞り上げられ、寝装具が身体に密着することを特徴とする、請求項１の肩掛け寝装具。
【請求項３】
前記、請求項１、請求項２のいずれか、もしくは両方の構造を特徴とする、掛け布団カバー。
【考案の詳細な説明】
【技術分野】
【０００１】
本考案は、保温及び身体密着に優れ、かつ脱却自在な肩掛け寝装具の構造に関するものである。
【背景技術】
【０００２】
寝装具の中には主に就寝中の肩や首回りの保温を目的とした、肩掛け機能を有した寝装具が従来からあり、我が国では「かい巻き」（図１０）が古くから存在している。
【０００３】
しかし、従来の肩掛け寝装具は、いったん肩等を覆うと、就寝中の脱却が不自由であるとともに、逆に脱却すると再度機能を回復するには手間がかかることが多い。また、従来の「かい巻き」のように、特殊な形態で、現代では広く一般に利用しにくいものであった。
【先行技術文献】
【特許文献】
【０００４】
【特許文献１】実用新案公報  昭38-8568公告
【特許文献２】実用新案公報  昭48-108906公開
【特許文献３】公開特許公報  特開平9-191993
【特許文献４】公開特許公報  特開2003-219946
【特許文献５】公開特許公報  特開2004-174022
【非特許文献】
【０００５】
【非特許文献１】小学館「日本大百科全書  Encyclopedia Nipponica 2001」第４巻  「かい巻」項
【考案の概要】
【考案が解決しようとする課題】
【０００６】
先行技術の肩掛け寝装具は、就寝中に寝返りなどの動きで脱落しやすかったり、逆に自由に脱却できない構造で寝苦しさを招き、また、床等に座った状態では利用がしにくいなど、実用性に乏しかった。
【０００７】
さらに、古くからの公知技術である「かい巻」は（図１０）のように着物状の形態であり、他の寝具と組み合わせがしにくい上、現代の生活環境ではデザイン等の面で馴染みにくい欠点を持つ。
【０００８】
従って本考案が解決しようとする課題は、就寝中、簡単に肩からずれ、機能を失うことを防止するとともに、寝苦しければ容易に脱却でき、現代の生活環境や寝具事情に即した、利用しやすいデザイン形態の肩掛け寝装具の提供である。
【課題を解決するための手段】
【０００９】
本考案は、寝装具本体に、保温性のある布によってアーチ型のポケットを構成し、そのアーチ頂点を中心とした衿部分に他の部分より布を厚くした上で、布を縫い縮めて寄せた伸縮性のあるヒダ構造による包み掛け衿部を備えることを特徴とする。
【００１０】
さらに、下部に向かう両側面の布を側幕として機能させ、就寝時、内部温度の外部への放散を防ぐ。また、上記衿部を引き上げるとで、この側幕が寝装具本体の中央両側部を引き絞り上げる機能を有しており、これにより寝装具本体が身体に良く密着することを特徴とする。
【００１１】
なお、上部両側には腕抜き用の穴を穿ち、「かい巻」同様、上記の機能を生かしながら両手を自在に使えるようにしている。
【考案の効果】
【００１２】
本校案は以上の手段により、就寝中に寝返りなどの動きで脱落しにくく、また逆に脱着自在であって、寝苦しさを招かない。さらに床に座った状態でも利用ができるなど、実用性が増した。
【００１３】
また、側幕の絞り上げ機能により、寝装具本体が身体に良く密着し、保温効果と寝心地を高める。
【００１４】
さらに、この技術は掛け布団カバーとしても利用ができ、「かい巻き」の機能等を備えつつ、現代の生活に馴染みやすいデザインを可能にした。
【図面の簡単な説明】
【００１５】
【図１】本考案の実施例を示した裏面斜視図である（実施例１）
【図２】本体を縦の中心線を切った側面断面図である
【図３】構造を示した裏面平面図である。
【図４】上面を示した正面平面図である
【図５】実施例１を利用した際の形態を示した背面図である
【図６】実施例１を利用した際の形態を示した正面図である
【図７】実施例１を利用した際の形態を示した側面図である
【図８】実施例１を床に座して利用した際の形態を示した斜視図である
【図９】本考案を掛け布団カバーとした実施例の裏面平面図である（実施例２）
【図１０】公知技術である「かい巻き」の裏面構造を示した平面図である
【考案を実施するための形態】
【００１６】
以下、本考案の実施の形態を図に基づいて説明する。
【実施例１】
【００１７】
図１は本校案の一実施例であって、矩形の掛け布団型寝装具本体１に、軽量な毛布などに利用される保温性のある布によってアーチ型のポケット構造２を縫付し、そのアーチ頂点を中心とした衿部に、布を重ね他の部分より厚みを持たせ、ギャザー状に加工した包み掛け衿部３を備える。さらに、下部に向かう両側面を側幕４として設け、上部両側には腕抜き用の穴５を穿ち、「かい巻」同様、両手が抜ける構造となっている。
【００１８】
図２は包み掛け衿部３の構造を示すために、掛け布団型寝装具本体１を縦の中心線で切った側面断面図である。３の包み掛け衿部の内部にはゴムなどの伸縮性素材６が縫い込んであり、衿部が身体にフィットしやすくなっている。
【００１９】
図３、図４は本校案を備えた掛け布団型寝装具の両面の構造を示している。すべての構造が矩形の一般的な寝装具の形態に収まっており、他の寝装具との併用において実用的となっており、デザインの自由度も高い。
【００２０】
図５は包み掛け衿部の機能を説明するために、利用形態を背面から示した図である。利用者の肩から首回りに背面から３の包み掛け衿部が覆い被さり、包み掛かる形状となる。また衿部が引き上げられることにより、４の側幕が上部に引き上げられ、掛け布団型寝装具本体の中心より絞り上げることとなる。これにより、寝装具が利用者の身体によく密着し、ずれにくくするとともに、保温効果を高める。
【００２１】
図６は使用形態を正面から示しており、図７は同様に側面から示した図である。利用者は腕抜き用穴から両手を外に出しながら、肩、首回りを包まれることができる。また図８は座した状態での使用形態であり、包み掛け衿部の機能により、掛け布団型寝装具に座したまま包まれることが可能となる。
【実施例２】
【００２２】
図９は本校案を掛け布団カバーとして実施した場合の実施例である。実施例１にならい矩形の掛け布団カバー本体７に本校案を実施することにより、通常の掛け布団に本校案の効果が付加でき、実用性に富んだ利用が可能となる。
【符号の説明】
【００２３】
１  掛け布団型寝装具本体
２  アーチ型ポケット構造
３  包み掛け衿部
４  側幕
５  腕抜き用穴
６  伸縮性素材
７  掛け布団カバー本体
【図１】
0003161986.tif 000003
【図２】
0003161986.tif 000004
【図３】
0003161986.tif 000005
【図４】
0003161986.tif 000006
【図５】
0003161986.tif 000007
【図６】
0003161986.tif 000008
【図７】
0003161986.tif 000009
【図８】
0003161986.tif 000010
【図９】
0003161986.tif 000011
【図１０】
0003161986.tif 000012
【手続補正書】
【提出日】平成22年6月10日(2010.6.10)
【手続補正１】
【補正対象書類名】実用新案登録請求の範囲
【補正対象項目名】全文
【補正方法】変更
【補正の内容】
【実用新案登録請求の範囲】
【請求項１】
寝装具の、身体が主に触れる面上部半分に保温性のある布によってアーチ型ポケット構造を縫付し、かつ、そのアーチの頂点を中心とした衿部分に利用者の肩に包み掛かる構造を備える肩掛け寝装具であって、この包み掛け衿部を他の部分より布を厚くした上で、布を縫い縮めて寄せたヒダ構造とし、かつ伸縮性を備えることを特徴とする肩掛け寝装具。
【請求項２】
前記の特徴を有し、アーチ型ポケット構造の下部に向かう両側面に縫付けした布が寝装具の側幕として機能し、利用時、内部の温度の放散を防ぎつつ、包み掛け衿部を引き上げることで、寝装具の両側中心部が引き絞り上げられ、寝装具が身体に密着することを特徴とする、請求項１の肩掛け寝装具。
【請求項３】
前記、請求項１、請求項２のいずれか、もしくは両方の構造を特徴とする、掛け布団カバーとしても利用できる肩掛け寝装具。